(57)【要約】【課題】実際の店舗で消費者が商品を選んでいる段階で、消費者の要求に応じて迅速に商品の広告映像や詳細情報を配信する。【解決手段】広告主は、ＤＶＤ広告をセンタ１に予め登録しておく。消費者は、商品（ＤＶＤ）３を目の前にして興味を持ち、携帯端末２を用いて画像を撮影し、位置情報、ユーザによる入力情報などと共にセンタ１に送信する。センタ１では、ユーザ認証後、認証されたユーザから送信された画像を認識して、配信すべきＤＶＤ広告を検索し、消費者の携帯端末２にＤＶＤ広告をネットワーク経由で送信する。位置情報やユーザによる入力情報は、検索対象の絞り込みに用いる。サービス形態としては、消費者のアクセスログを記録して消費者が見た映像情報の通信費を広告主から回収する形態をとる。消費者は、通信にかかったコストをセンタ運営者からキャッシュバックされる。【選択図】  図１
2004185591.tif 000002
【特許請求の範囲】
【請求項１】
対象物の識別情報を取得する手段を有する携帯端末装置に広告情報を配信する方法であって、
携帯端末装置側において、
対象物の識別情報を取得する段階と、
当該識別情報をセンタ側に送信する段階と、
センタ側において、
ユーザを認証する段階と、
前記認証されたユーザの携帯端末装置側から送信された前記識別情報に基づき、広告情報を検索する段階と、
前記検索によって得られた広告情報を携帯端末装置側に配信する段階と、
前記配信に関する情報をアクセスログに記録する段階と、
携帯端末装置側において、
前記広告情報を表示する段階と、
センタ側において、
前記アクセスログに基づき、広告に関する料金を計算する料金計算段階と、を有することを特徴とする広告情報提供方法。
【請求項２】
対象物の識別情報を取得する手段と決済手段とを有する携帯端末装置に広告情報を配信する方法であって、
携帯端末装置側において、
対象物の識別情報を取得する段階と、
当該識別情報をセンタ側に送信する段階と、
センタ側において、
ユーザを認証する段階と、
前記認証されたユーザの携帯端末装置側から送信された前記識別情報に基づき、広告情報を検索する段階と、
前記検索によって得られた広告情報を携帯端末装置側に配信する段階と、
前記配信に関する情報をアクセスログに記録する段階と、
携帯端末装置側において、
前記広告情報を表示する段階と、
前記対象物の購入に際して、その決済情報をセンタ側に送信する段階と、
センタ側において、
前記決済情報をアクセスログに記録する段階と、
前記アクセスログに基づき、広告に関する料金を計算する料金計算段階と、を有することを特徴とする広告情報提供方法。
【請求項３】
画像撮影手段を有する携帯端末装置に広告情報を配信する方法であって、
携帯端末装置側において、
対象物の画像を撮影する段階と、
当該画像をセンタ側に送信する段階と、
センタ側において、
ユーザを認証する段階と、
前記認証されたユーザの携帯端末装置側から送信された前記画像を認識する段階と、
前記認識の結果に基づき、広告情報を検索する段階と、
前記検索によって得られた広告情報を携帯端末装置側に配信する段階と、
前記配信に関する情報をアクセスログに記録する段階と、
携帯端末装置側において、
前記広告情報を表示する段階と、
センタ側において、
前記アクセスログに基づき、広告に関する料金を計算する料金計算段階と、を有することを特徴とする広告情報提供方法。
【請求項４】
画像撮影手段と決済手段とを有する携帯端末装置に広告情報を配信する方法であって、
携帯端末装置側において、
対象物の画像を撮影する段階と、
当該画像をセンタ側に送信する段階と、
センタ側において、
ユーザを認証する段階と、
前記認証されたユーザの携帯端末装置側から送信された前記画像を認識する段階と、
前記認識の結果に基づき、広告情報を検索する段階と、
前記検索によって得られた広告情報を携帯端末装置側に配信する段階と、
前記配信に関する情報をアクセスログに記録する段階と、
携帯端末装置側において、
前記広告情報を表示する段階と、
前記対象物の購入に際して、その決済情報をセンタ側に送信する段階と、
センタ側において、
前記決済情報をアクセスログに記録する段階と、
前記アクセスログに基づき、広告に関する料金を計算する料金計算段階と、を有することを特徴とする広告情報提供方法。
【請求項５】
タグ情報読み取り手段を有する携帯端末装置に広告情報を配信する方法であって、
携帯端末装置側において、
対象物に添付されたタグのタグ情報を読み取る段階と、
当該タグ情報をセンタ側に送信する段階と、
センタ側において、
ユーザを認証する段階と、
前記認証されたユーザの携帯端末装置側から送信された前記タグ情報に基づき、広告情報を検索する段階と、
前記検索によって得られた広告情報を携帯端末装置側に配信する段階と、
前記配信に関する情報をアクセスログに記録する段階と、
携帯端末装置側において、
前記広告情報を表示する段階と、
センタ側において、
前記アクセスログに基づき、広告に関する料金を計算する料金計算段階と、を有することを特徴とする広告情報提供方法。
【請求項６】
タグ情報読み取り手段と決済手段とを有する携帯端末装置に広告情報を配信する方法であって、
携帯端末装置側において、
対象物に添付されたタグのタグ情報を読み取る段階と、
当該タグ情報をセンタ側に送信する段階と、
センタ側において、
ユーザを認証する段階と、
前記認証されたユーザの携帯端末装置側から送信された前記タグ情報に基づき、広告情報を検索する段階と、
前記検索によって得られた広告情報を携帯端末装置側に配信する段階と、
前記配信に関する情報をアクセスログに記録する段階と、
携帯端末装置側において、
前記広告情報を表示する段階と、
前記対象物の購入に際して、そめ決済情報をセンタ側に送信する段階と、
センタ側において、
前記決済情報をアクセスログに記録する段階と、
前記アクセスログに基づき、広告に関する料金を計算する料金計算段階と、を有することを特徴とする広告情報提供方法。
【請求項７】
電子透かし情報読み取り手段を有する携帯端末装置に広告情報を配信する方法であって、
携帯端末装置側において、
対象物に添付された電子透かしの電子透かし情報を読み取る段階と、
当該電子透かし情報をセンタ側に送信する段階と、
センタ側において、
ユーザを認証する段階と、
前記認証されたユーザの携帯端末装置側から送信された前記電子透かし情報に基づき、広告情報を検索する段階と、
前記検索によって得られた広告情報を携帯端末装置側に配信する段階と、
前記配信に関する情報をアクセスログに記録する段階と、
携帯端末装置側において、
前記広告情報を表示する段階と、
センタ側において、
前記アクセスログに基づき、広告に関する料金を計算する料金計算段階と、を有することを特徴とする広告情報提供方法。
【請求項８】
電子透かし情報読み取り手段と決済手段とを有する携帯端末装置に広告情報を配信する方法であって、
携帯端末装置側において、
対象物に添付された電子透かしの電子透かし情報を読み取る段階と、
当該電子透かし情報をセンタ側に送信する段階と、
センタ側において、
ユーザを認証する段階と、
前記認証されたユーザの携帯端末装置側から送信された前記電子透かし情報に基づき、広告情報を検索する段階と、
前記検索によって得られた広告情報を携帯端末装置側に配信する段階と、
前記配信に関する情報をアクセスログに記録する段階と、
携帯端末装置側において、
前記広告情報を表示する段階と、
前記対象物の購入に際して、その決済情報をセンタ側に送信する段階と、
センタ側において、
前記決済情報をアクセスログに記録する段階と、
前記アクセスログに基づき、広告に関する料金を計算する料金計算段階と、を有することを特徴とする広告情報提供方法。
【請求項９】
前記料金計算段階は、
前記アクセスログに基づき、広告主に対する広告費を計算する段階と、
前記アクセスログに基づき、ユーザに対する割引費を計算する段階と、を有することを特徴とする請求項１ないし８のいずれかに記載の広告情報提供方法。
【請求項１０】
対象物の識別情報を取得する手段を有する携帯端末装置に広告情報を配信する装置であって、
携帯端末装置側において取得された対象物の識別情報を受信する手段と、
ユーザを認証するユーザ認証手段と、
前記認証されたユーザの携帯端末装置側から受信した前記識別情報に基づき、広告情報を検索する情報検索手段と、
前記検索によって得られた広告情報を携帯端末装置に配信する手段と、
前記配信に関する情報をアクセスログに記録する手段と、
前記アクセスログに基づき、広告に関する料金を計算する料金計算手段と、を有することを特徴とする広告情報提供装置。
【請求項１１】
対象物の識別情報を取得する手段と決済手段とを有する携帯端末装置に広告情報を配信する装置であって、
携帯端末装置側において取得された対象物の識別情報を受信する手段と、
ユーザを認証するユーザ認証手段と、
前記認証されたユーザの携帯端末装置側から受信した前記識別情報に基づき、広告情報を検索する情報検索手段と、
前記検索によって得られた広告情報を携帯端末装置に配信する手段と、
前記配信に関する情報をアクセスログに記録する手段と、
携帯端末装置から前記対象物の購入決済情報を受信する手段と、
前記決済情報をアクセスログに記録する手段と、
前記アクセスログに基づき、広告に関する料金を計算する料金計算手段と、を有することを特徴とする広告情報提供装置。
【請求項１２】
画像撮影手段を有する携帯端末装置に広告情報を配信する装置であって、
携帯端末装置において撮影された対象物の画像を受信する手段と、
ユーザを認証するユーザ認証手段と、
前記認証されたユーザの携帯端末装置から受信した前記画像を認識する画像認識手段と、
前記認識の結果に基づき、広告情報を検索する情報検索手段と、
前記検索によって得られた広告情報を携帯端末装置に配信する手段と、
前記配信に関する情報をアクセスログに記録する手段と、
前記アクセスログに基づき、広告に関する料金を計算する料金計算手段と、を有することを特徴とする広告情報提供装置。
【請求項１３】
画像撮影手段と決済手段とを有する携帯端末装置に広告情報を配信する装置であって、
携帯端末装置において撮影された対象物の画像を受信する手段と、
ユーザを認証するユーザ認証手段と、
前記認証されたユーザの携帯端末装置から受信した前記画像を認識する画像認識手段と、
前記認識の結果に基づき、広告情報を検索する情報検索手段と、
前記検索によって得られた広告情報を携帯端末装置に配信する手段と、
前記配信に関する情報をアクセスログに記録する手段と、
携帯端末装置から前記対象物の購入決済情報を受信する手段と、
前記決済情報をアクセスログに記録する手段と、
前記アクセスログに基づき、広告に関する料金を計算する料金計算手段と、を有することを特徴とする広告情報提供装置。
【請求項１４】
タグ情報読み取り手段を有する携帯端末装置に広告情報を配信する装置であって、
携帯端末装置側において読み取られた対象物に添付されたタグのタグ情報を受信する手段と、
ユーザを認証するユーザ認証手段と、
前記認証されたユーザの携帯端末装置側から受信した前記タグ情報に基づき、広告情報を検索する情報検索手段と、
前記検索によって得られた広告情報を携帯端末装置に配信する手段と、
前記配信に関する情報をアクセスログに記録する手段と、
前記アクセスログに基づき、広告に関する料金を計算する料金計算手段と、を有することを特徴とする広告情報提供装置。
【請求項１５】
タグ情報読み取り手段と決済手段とを有する携帯端末装置に広告情報を配信する装置であって、
携帯端末装置側において読み取られた対象物に添付されたタグのタグ情報を受信する手段と、
ユーザを認証するユーザ認証手段と、
前記認証されたユーザの携帯端末装置側から受信した前記タグ情報に基づき、広告情報を検索する情報検索手段と、
前記検索によって得られた広告情報を携帯端末装置に配信する手段と、
前記配信に関する情報をアクセスログに記録する手段と、
携帯端末装置から前記対象物の購入決済情報を受信する手段と、
前記決済情報をアクセスログに記録する手段と、
前記アクセスログに基づき、広告に関する料金を計算する料金計算手段と、を有することを特徴とする広告情報提供装置。
【請求項１６】
電子透かし情報読み取り手段を有する携帯端末装置に広告情報を配信する装置であって、
携帯端末装置側において読み取られた対象物に添付された電子透かしの電子透かし情報を受信する手段と、
ユーザを認証するユーザ認証手段と、
前記認証されたユーザの携帯端末装置側から受信した前記電子透かし情報に基づき、広告情報を検索する情報検索手段と、
前記検索によって得られた広告情報を携帯端末装置に配信する手段と、
前記配信に関する情報をアクセスログに記録する手段と、
前記アクセスログに基づき、広告に関する料金を計算する料金計算手段と、を有することを特徴とする広告情報提供装置。
【請求項１７】
電子透かし情報読み取り手段と決済手段とを有する携帯端末装置に広告情報を配信する装置であって、
携帯端末装置側において読み取られた対象物に添付された電子透かしの電子透かし情報を受信する手段と、
ユーザを認証するユーザ認証手段と、
前記認証されたユーザの携帯端末装置側から受信した前記電子透かし情報に基づき、広告情報を検索する情報検索手段と、
前記検索によって得られた広告情報を携帯端末装置に配信する手段と、
前記配信に関する情報をアクセスログに記録する手段と、
携帯端末装置から前記対象物の購入決済情報を受信する手段と、
前記決済情報をアクセスログに記録する手段と、
前記アクセスログに基づき、広告に関する料金を計算する料金計算手段と、を有することを特徴とする広告情報提供装置。
【請求項１８】
前記料金計算手段は、
前記アクセスログに基づき、広告主に対する広告費を計算する手段と、
前記アクセスログに基づき、ユーザに対する割引費を計算する手段と、を有することを特徴とする請求項１０ないし１７のいずれかに記載の広告情報提供装置。
【請求項１９】
対象物の識別情報を取得する手段を有する携帯端末装置に広告情報を配信するプログラムであって、
携帯端末装置側において取得された対象物の識別情報を受信するステップと、
ユーザを認証するステップと、
前記認証されたユーザの携帯端末装置側から受信した前記識別情報に基づき、広告情報を検索するステップと、
前記検索によって得られた広告情報を携帯端末装置に配信するステップと、
前記配信に関する情報をアクセスログに記録するステップと、
前記アクセスログに基づき、広告に関する料金を計算する料金計算ステップと、を有することを特徴とする広告情報提供プログラム。
【請求項２０】
対象物の識別情報を取得する手段と決済手段とを有する携帯端末装置に広告情報を配信するプログラムであって、
携帯端末装置側において取得された対象物の識別情報を受信するステップと、
ユーザを認証するステップと、
前記認証されたユーザの携帯端末装置側から受信した前記識別情報に基づき、広告情報を検索するステップと、
前記検索によって得られた広告情報を携帯端末装置に配信するステップと、
前記配信に関する情報をアクセスログに記録するステップと、
携帯端末装置から前記対象物の購入決済情報を受信するステップと、
前記決済情報をアクセスログに記録するステップと、
前記アクセスログに基づき、広告に関する料金を計算する料金計算ステップと、を有することを特徴とする広告情報提供プログラム。
【請求項２１】
画像撮影手段を有する携帯端末装置に広告情報を配信するプログラムであって、
携帯端末装置において撮影された対象物の画像を受信するステップと、
ユーザを認証するステップと、
前記認証されたユーザの携帯端末装置から受信した前記画像を認識するステップと、
前記認識の結果に基づき、広告情報を検索するステップと、
前記検索によって得られた広告情報を携帯端末装置に配信するステップと、
前記配信に関する情報をアクセスログに記録するステップと、
前記アクセスログに基づき、広告に関する料金を計算する料金計算ステップと、を有することを特徴とする広告情報提供プログラム。
【請求項２２】
画像撮影手段と決済手段とを有する携帯端末装置に広告情報を配信するプログラムであって、
携帯端末装置において撮影された対象物の画像を受信するステップと、
ユーザを認証するステップと、
前記認証されたユーザの携帯端末装置から受信した前記画像を認識するステップと、
前記認識の結果に基づき、広告情報を検索するステップと、
前記検索によって得られた広告情報を携帯端末装置に配信するステップと、
前記配信に関する情報をアクセスログに記録するステップと、
携帯端末装置から前記対象物の購入決済情報を受信するステップと、
前記決済情報をアクセスログに記録するステップと、
前記アクセスログに基づき、広告に関する料金を計算する料金計算ステップと、を有することを特徴とする広告情報提供プログラム。
【請求項２３】
タグ情報読み取り手段を有する携帯端末装置に広告情報を配信するプログラムであって、
携帯端末装置側において読み取られた対象物に添付されたタグのタグ情報を受信するステップと、
ユーザを認証するステップと、
前記認証されたユーザの携帯端末装置側から受信した前記タグ情報に基づき、広告情報を検索するステップと、
前記検索によって得られた広告情報を携帯端末装置に配信するステップと、
前記配信に関する情報をアクセスログに記録するステップと、
前記アクセスログに基づき、広告に関する料金を計算する料金計算ステップと、を有することを特徴とする広告情報提供プログラム。
【請求項２４】
タグ情報読み取り手段と決済手段とを有する携帯端末装置に広告情報を配信するプログラムであって、
携帯端末装置側において読み取られた対象物に添付されたタグのタグ情報を受信するステップと、
ユーザを認証するステップと、
前記認証されたユーザの携帯端末装置側から受信した前記タグ情報に基づき、広告情報を検索するステップと、
前記検索によって得られた広告情報を携帯端末装置に配信するステップと、
前記配信に関する情報をアクセスログに記録するステップと、
携帯端末装置から前記対象物の購入決済情報を受信するステップと、
前記決済情報をアクセスログに記録するステップと、
前記アクセスログに基づき、広告に関する料金を計算する料金計算ステップと、を有することを特徴とする広告情報提供プログラム。
【請求項２５】
電子透かし情報読み取り手段を有する携帯端末装置に広告情報を配信するプログラムであって、
携帯端末装置側において読み取られた対象物に添付された電子透かしの電子透かし情報を受信するステップと、
ユーザを認証するステップと、
前記認証されたユーザの携帯端末装置側から受信した前記電子透かし情報に基づき、広告情報を検索するステップと、
前記検索によって得られた広告情報を携帯端末装置に配信するステップと、
前記配信に関する情報をアクセスログに記録するステップと、
前記アクセスログに基づき、広告に関する料金を計算する料金計算ステップと、を有することを特徴とする広告情報提供プログラム。
【請求項２６】
電子透かし情報読み取り手段と決済手段とを有する携帯端末装置に広告情報を配信するプログラムであって、
携帯端末装置側において読み取られた対象物に添付された電子透かしの電子透かし情報を受信するステップと、
ユーザを認証するステップと、
前記認証されたユーザの携帯端末装置側から受信した前記電子透かし情報に基づき、広告情報を検索するステップと、
前記検索によって得られた広告情報を携帯端末装置に配信するステップと、
前記配信に関する情報をアクセスログに記録するステップと、
携帯端末装置から前記対象物の購入決済情報を受信するステップと、
前記決済情報をアクセスログに記録するステップと、
前記アクセスログに基づき、広告に関する料金を計算する料金計算ステップと、を有することを特徴とする広告情報提供プログラム。
【請求項２７】
前記料金計算ステップは、
前記アクセスログに基づき、広告主に対する広告費を計算するステップと、
前記アクセスログに基づき、ユーザに対する割引費を計算するステップと、を有する
ことを特徴とする請求項１９ないし２６のいずれかに記載の広告情報提供プログラム。
【請求項２８】
請求項１９ないし２７のいずれかに記載の広告情報提供プログラムをコンピュータで読取り可能な記録媒体に記録したことを特徴とする広告情報提供プログラムを記録した記録媒体。
【発明の詳細な説明】
【０００１】
【発明の属する技術分野】
本発明は、携帯端末装置（以下、携帯端末）にて取得した商品の画像を基に、センタで商品が何であるかを識別し、消費者の携帯端末に広告映像を配信するサービスシステムであって、映像を配信する商品広告サービスに属す。
【０００２】
【従来の技術】
映像を配信する商品広告においては、地上波や衛星を利用したＴＶＣＭ放送、店頭上でのビデオ映像、インターネットを介した映像広告などがある。ＴＶＣＭ放送では、ある特定の時間に不特定多数の消費者に、商品のイメージや説明を紹介することができる。店頭上でのビデオ映像では、商品に興味を持って来店した消費者に対し、商品のイメージや説明を紹介することができる。インターネットを介した映像広告では、電子ショッピングのサイトにて、消費者が商品を選ぶ際に、映像広告や詳細情報を見ながら検討することができる。
【０００３】
しかし、これらの広告手法では、消費者が実際の店頭で商品を選ぶ段階で提供可能な広告は、商品のパッケージや看板に限られており、消費者が商品を選びながら、映像広告や詳細情報を見ながら検討することは非常に限られていた。そのため近年では、各店舗に商品のターゲットに合わせたＣＭを配信し、これを店頭で放映することにより、上記の制約を緩和し、消費者の潜在的な需要を喚起しようとする試みがなされている（非特許文献１，２参照）。
【０００４】
【非特許文献１】
株式会社シティチャネル、“シティチャネルとは？−システム概要”、［ｏｎｌｉｎｅ］、株式会社シティチャネル、［平成１４年９月１１目検索］、インタターネット＜ＵＲＬ：ｈｔｔｐ：／／ｗｗｗ．ｃｃｈ．ｊｐ／ｗｈａｔ／ｓｙｓｔｅｍ＿ｍａｉｎ．ｈｔｍｌ＞
【０００５】
【非特許文献２】
株式会社シティチャネル、“シティチャネルとは？−サービスの特徴”、［ｏｎｌｉｎｅ］、株式会社シティチャネル、［平成１４年９月１１目検索］、インターネット＜ＵＲＬ：ｈｔｔｐ：／／ｗｗｗ．ｃｃｈ．ｊｐ／ｗｈａｔ／ｓｅｒｖｉｃｅ＿ｍａｉｎ．ｈｔｍｌ＞
【０００６】
【発明が解決しようとする課題】
しかしながら、従来の手法では、大量の商品の中から、消費者の所望する商品のＣＭやキャンペーン情報を、消費者の要求に応じて迅速に提供することはできなかった。
【０００７】
本発明では、実際の店舗や街中、および他の人の家の中等で消費者が商品に興味を持った段階で、必要に応じて商品の広告映像や詳細情報を配信するシステムを提供することを課題とする。
【０００８】
【課題を解決するための手段】
上記の課題を解決するため、本発明は、対象物の識別情報を取得する手段を有する携帯端末装置に広告情報を配信する方法であって、携帯端末装置側において、対象物の識別情報を取得する段階と、当該識別情報をセンタ側に送信する段階と、センタ側において、ユーザを認証する段階と、前記認証されたユーザの携帯端末装置側から送信された前記識別情報に基づき、広告情報を検索する段階と、前記検索によって得られた広告情報を携帯端末装置側に配信する段階と、前記配信に関する情報をアクセスログに記録する段階と、携帯端末装置側において、前記広告情報を表示する段階と、センタ側において、前記アクセスログに基づき、広告に関する料金を計算する料金計算段階と、を有することを特徴とする広告情報提供方法を、その手段とする。
【０００９】
あるいは、対象物の識別情報を取得する手段と決済手段とを有する携帯端末装置に広告情報を配信する方法であって、携帯端末装置側において、対象物の識別情報を取得する段階と、当該識別情報をセンタ側に送信する段階と、センタ側において、ユーザを認証する段階と、前記認証されたユーザの携帯端末装置側から送信された前記識別情報に基づき、広告情報を検索する段階と、前記検索によって得られた広告情報を携帯端末装置側に配信する段階と、前記配信に関する情報をアクセスログに記録する段階と、携帯端末装置側において、前記広告情報を表示する段階と、前記対象物の購入に際して、その決済情報をセンタ側に送信する段階と、センタ側において、前記決済情報をアクセスログに記録する段階と、前記アクセスログに基づき、広告に関する料金を計算する料金計算段階と、を有することを特徴とする広告情報提供方法を、その手段とする。
【００１０】
あるいは、画像撮影手段を有する携帯端末装置に広告情報を配信する方法であって、携帯端末装置側において、対象物の画像を撮影する段階と、当該画像をセンタ側に送信する段階と、センタ側において、ユーザを認証する段階と、前記認証されたユーザの携帯端末装置側から送信された前記画像を認識する段階と、前記認識の結果に基づき、広告情報を検索する段階と、前記検索によって得られた広告情報を携帯端末装置側に配信する段階と、前記配信に関する情報をアクセスログに記録する段階と、携帯端末装置側において、前記広告情報を表示する段階と、センタ側において、前記アクセスログに基づき、広告に関する料金を計算する料金計算段階と、を有することを特徴とする広告情報提供方法を、その手段とする。
【００１１】
あるいは、画像撮影手段と決済手段とを有する携帯端末装置に広告情報を配信する方法であって、携帯端末装置側において、対象物の画像を撮影する段階と、当該画像をセンタ側に送信する段階と、センタ側において、ユーザを認証する段階と、前記認証されたユーザの携帯端末装置側から送信された前記画像を認識する段階と、前記認識の結果に基づき、広告情報を検索する段階と、前記検索によって得られた広告情報を携帯端末装置側に配信する段階と、前記配信に関する情報をアクセスログに記録する段階と、携帯端末装置側において、前記広告情報を表示する段階と、前記対象物の購入に際して、その決済情報をセンタ側に送信する段階と、センタ側において、前記決済情報をアクセスログに記録する段階と、前記アクセスログに基づき、広告に関する料金を計算する料金計算段階と、を有することを特徴とする広告情報提供方法を、その手段とする。
【００１２】
あるいは、タグ情報読み取り手段を有する携帯端末装置に広告情報を配信する方法であって、携帯端末装置側において、対象物に添付されたタグのタグ情報を読み取る段階と、当該タグ情報をセンタ側に送信する段階と、センタ側において、ユーザを認証する段階と、前記認証されたユーザの携帯端末装置側から送信された前記タグ情報に基づき、広告情報を検索する段階と、前記検索によって得られた広告情報を携帯端末装置側に配信する段階と、前記配信に関する情報をアクセスログに記録する段階と、携帯端末装置側において、前記広告情報を表示する段階と、センタ側において、前記アクセスログに基づき、広告に関する料金を計算する料金計算段階と、を有することを特徴とする広告情報提供方法を、その手段とする。
【００１３】
あるいは、タグ情報読み取り手段と決済手段とを有する携帯端末装置に広告情報を配信する方法であって、携帯端末装置側において、対象物に添付されたタグのタグ情報を読み取る段階と、当該タグ情報をセンタ側に送信する段階と、センタ側において、ユーザを認証する段階と、前記認証されたユーザの携帯端末装置側から送信された前記タグ情報に基づき、広告情報を検索する段階と、前記検索によって得られた広告情報を携帯端末装置側に配信する段階と、前記配信に関する情報をアクセスログに記録する段階と、携帯端末装置側において、前記広告情報を表示する段階と、前記対象物の購入に際して、そめ決済情報をセンタ側に送信する段階と、センタ側において、前記決済情報をアクセスログに記録する段階と、前記アクセスログに基づき、広告に関する料金を計算する料金計算段階と、を有することを特徴とする広告情報提供方法を、その手段とする。
【００１４】
あるいは、電子透かし情報読み取り手段を有する携帯端末装置に広告情報を配信する方法であって、携帯端末装置側において、対象物に添付された電子透かしの電子透かし情報を読み取る段階と、当該電子透かし情報をセンタ側に送信する段階と、センタ側において、ユーザを認証する段階と、前記認証されたユーザの携帯端末装置側から送信された前記電子透かし情報に基づき、広告情報を検索する段階と、前記検索によって得られた広告情報を携帯端末装置側に配信する段階と、前記配信に関する情報をアクセスログに記録する段階と、携帯端末装置側において、前記広告情報を表示する段階と、センタ側において、前記アクセスログに基づき、広告に関する料金を計算する料金計算段階と、を有することを特徴とする広告情報提供方法を、その手段とする。
【００１５】
あるいは、電子透かし情報読み取り手段と決済手段とを有する携帯端末装置に広告情報を配信する方法であって、携帯端末装置側において、対象物に添付された電子透かしの電子透かし情報を読み取る段階と、当該電子透かし情報をセンタ側に送信する段階と、センタ側において、ユーザを認証する段階と、前記認証されたユーザの携帯端末装置側から送信された前記電子透かし情報に基づき、広告情報を検索する段階と、前記検索によって得られた広告情報を携帯端末装置側に配信する段階と、前記配信に関する情報をアクセスログに記録する段階と、携帯端末装置側において、前記広告情報を表示する段階と、
前記対象物の購入に際して、その決済情報をセンタ側に送信する段階と、センタ側において、前記決済情報をアクセスログに記録する段階と、前記アクセスログに基づき、広告に関する料金を計算する料金計算段階と、を有することを特徴とする広告情報提供方法を、その手段とする。
【００１６】
あるいは、上記の広告情報提供方法において、前記料金計算段階は、前記アクセスログに基づき、広告主に対する広告費を計算する段階と、前記アクセスログに基づき、ユーザに対する割引費を計算する段階と、を有することを特徴とする広告情報提供方法を、その手段とする。
【００１７】
あるいは、対象物の識別情報を取得する手段を有する携帯端末装置に広告情報を配信する装置であって、携帯端末装置側において取得された対象物の識別情報を受信する手段と、ユーザを認証するユーザ認証手段と、前記認証されたユーザの携帯端末装置側から受信した前記識別情報に基づき、広告情報を検索する情報検索手段と、前記検索によって得られた広告情報を携帯端末装置に配信する手段と、前記配信に関する情報をアクセスログに記録する手段と、前記アクセスログに基づき、広告に関する料金を計算する料金計算手段と、を有することを特徴とする広告情報提供装置を、その手段とする。
【００１８】
あるいは、対象物の識別情報を取得する手段と決済手段とを有する携帯端末装置に広告情報を配信する装置であって、携帯端末装置側において取得された対象物の識別情報を受信する手段と、ユーザを認証するユーザ認証手段と、前記認証されたユーザの携帯端末装置側から受信した前記識別情報に基づき、広告情報を検索する情報検索手段と、前記検索によって得られた広告情報を携帯端末装置に配信する手段と、前記配信に関する情報をアクセスログに記録する手段と、携帯端末装置から前記対象物の購入決済情報を受信する手段と、前記決済情報をアクセスログに記録する手段と、前記アクセスログに基づき、広告に関する料金を計算する料金計算手段と、を有することを特徴とする広告情報提供装置を、その手段とする。
【００１９】
あるいは、画像撮影手段を有する携帯端末装置に広告情報を配信する装置であって、携帯端末装置において撮影された対象物の画像を受信する手段と、ユーザを認証するユーザ認証手段と、前記認証されたユーザの携帯端末装置から受信した前記画像を認識する画像認識手段と、前記認識の結果に基づき、広告情報を検索する情報検索手段と、前記検索によって得られた広告情報を携帯端末装置に配信する手段と、前記配信に関する情報をアクセスログに記録する手段と、前記アクセスログに基づき、広告に関する料金を計算する料金計算手段と、を有することを特徴とする広告情報提供装置を、その手段とする。
【００２０】
あるいは、画像撮影手段と決済手段とを有する携帯端末装置に広告情報を配信する装置であって、携帯端末装置において撮影された対象物の画像を受信する手段と、ユーザを認証するユーザ認証手段と、前記認証されたユーザの携帯端末装置から受信した前記画像を認識する画像認識手段と、前記認識の結果に基づき、広告情報を検索する情報検索手段と、前記検索によって得られた広告情報を携帯端末装置に配信する手段と、前記配信に関する情報をアクセスログに記録する手段と、携帯端末装置から前記対象物の購入決済情報を受信する手段と、前記決済情報をアクセスログに記録する手段と、前記アクセスログに基づき、広告に関する料金を計算する料金計算手段と、を有することを特徴とする広告情報提供装置を、その手段とする。
【００２１】
あるいは、タグ情報読み取り手段を有する携帯端末装置に広告情報を配信する装置であって、携帯端末装置側において読み取られた対象物に添付されたタグのタグ情報を受信する手段と、ユーザを認証するユーザ認証手段と、前記認証されたユーザの携帯端末装置側から受信した前記タグ情報に基づき、広告情報を検索する情報検索手段と、前記検索によって得られた広告情報を携帯端末装置に配信する手段と、前記配信に関する情報をアクセスログに記録する手段と、前記アクセスログに基づき、広告に関する料金を計算する料金計算手段と、を有することを特徴とする広告情報提供装置を、その手段とする。
【００２２】
あるいは、タグ情報読み取り手段と決済手段とを有する携帯端末装置に広告情報を配信する装置であって、携帯端末装置側において読み取られた対象物に添付されたタグのタグ情報を受信する手段と、ユーザを認証するユーザ認証手段と、前記認証されたユーザの携帯端末装置側から受信した前記タグ情報に基づき、広告情報を検索する情報検索手段と、前記検索によって得られた広告情報を携帯端末装置に配信する手段と、前記配信に関する情報をアクセスログに記録する手段と、携帯端末装置から前記対象物の購入決済情報を受信する手段と、前記決済情報をアクセスログに記録する手段と、前記アクセスログに基づき、広告に関する料金を計算する料金計算手段と、を有することを特徴とする広告情報提供装置を、その手段とする。
【００２３】
あるいは、電子透かし情報読み取り手段を有する携帯端末装置に広告情報を配信する装置であって、携帯端末装置側において読み取られた対象物に添付された電子透かしの電子透かし情報を受信する手段と、ユーザを認証するユーザ認証手段と、前記認証されたユーザの携帯端末装置側から受信した前記電子透かし情報に基づき、広告情報を検索する情報検索手段と、前記検索によって得られた広告情報を携帯端末装置に配信する手段と、前記配信に関する情報をアクセスログに記録する手段と、前記アクセスログに基づき、広告に関する料金を計算する料金計算手段と、を有することを特徴とする広告情報提供装置を、その手段とする。
【００２４】
あるいは、電子透かし情報読み取り手段と決済手段とを有する携帯端末装置に広告情報を配信する装置であって、携帯端末装置側において読み取られた対象物に添付された電子透かしの電子透かし情報を受信する手段と、ユーザを認証するユーザ認証手段と、前記認証されたユーザの携帯端末装置側から受信した前記電子透かし情報に基づき、広告情報を検索する情報検索手段と、前記検索によって得られた広告情報を携帯端末装置に配信する手段と、前記配信に関する情報をアクセスログに記録する手段と、携帯端末装置から前記対象物の購入決済情報を受信する手段と、前記決済情報をアクセスログに記録する手段と、前記アクセスログに基づき、広告に関する料金を計算する料金計算手段と、を有することを特徴とする広告情報提供装置を、その手段とする。
【００２５】
あるいは、上記の広告情報提供装置において、前記料金計算手段は、前記アクセスログに基づき、広告主に対する広告費を計算する手段と、前記アクセスログに基づき、ユーザに対する割引費を計算する手段と、を有することを特徴とする広告情報提供装置を、その手段とする。
【００２６】
あるいは、対象物の識別情報を取得する手段を有する携帯端末装置に広告情報を配信するプログラムであって、携帯端末装置側において取得された対象物の識別情報を受信するステップと、ユーザを認証するステップと、前記認証されたユーザの携帯端末装置側から受信した前記識別情報に基づき、広告情報を検索するステップと、前記検索によって得られた広告情報を携帯端末装置に配信するステップと、前記配信に関する情報をアクセスログに記録するステップと、前記アクセスログに基づき、広告に関する料金を計算する料金計算ステップと、を有することを特徴とする広告情報提供プログラムを、その手段とする。
【００２７】
あるいは、対象物の識別情報を取得する手段と決済手段とを有する携帯端末装置に広告情報を配信するプログラムであって、携帯端末装置側において取得された対象物の識別情報を受信するステップと、ユーザを認証するステップと、前記認証されたユーザの携帯端末装置側から受信した前記識別情報に基づき、広告情報を検索するステップと、前記検索によって得られた広告情報を携帯端末装置に配信するステップと、前記配信に関する情報をアクセスログに記録するステップと、携帯端末装置から前記対象物の購入決済情報を受信するステップと、前記決済情報をアクセスログに記録するステップと、前記アクセスログに基づき、広告に関する料金を計算する料金計算ステップと、を有することを特徴とする広告情報提供プログラムを、その手段とする。
【００２８】
あるいは、画像撮影手段を有する携帯端末装置に広告情報を配信するプログラムであって、携帯端末装置において撮影された対象物の画像を受信するステップと、ユーザを認証するステップと、前記認証されたユーザの携帯端末装置から受信した前記画像を認識するステップと、前記認識の結果に基づき、広告情報を検索するステップと、前記検索によって得られた広告情報を携帯端末装置に配信するステップと、前記配信に関する情報をアクセスログに記録するステップと、前記アクセスログに基づき、広告に関する料金を計算する料金計算ステップと、を有することを特徴とする広告情報提供プログラムを、その手段とする。
【００２９】
あるいは、画像撮影手段と決済手段とを有する携帯端末装置に広告情報を配信するプログラムであって、携帯端末装置において撮影された対象物の画像を受信するステップと、ユーザを認証するステップと、前記認証されたユーザの携帯端末装置から受信した前記画像を認識するステップと、前記認識の結果に基づき、広告情報を検索するステップと、前記検索によって得られた広告情報を携帯端末装置に配信するステップと、前記配信に関する情報をアクセスログに記録するステップと、携帯端末装置から前記対象物の購入決済情報を受信するステップと、前記決済情報をアクセスログに記録するステップと、前記アクセスログに基づき、広告に関する料金を計算する料金計算ステップと、を有することを特徴とする広告情報提供プログラムを、その手段とする。
【００３０】
あるいは、タグ情報読み取り手段を有する携帯端末装置に広告情報を配信するプログラムであって、携帯端末装置側において読み取られた対象物に添付されたタグのタグ情報を受信するステップと、ユーザを認証するステップと、前記認証されたユーザの携帯端末装置側から受信した前記タグ情報に基づき、広告情報を検索するステップと、前記検索によって得られた広告情報を携帯端末装置に配信するステップと、前記配信に関する情報をアクセスログに記録するステップと、前記アクセスログに基づき、広告に関する料金を計算する料金計算ステップと、を有することを特徴とする広告情報提供プログラムを、その手段とする。
【００３１】
あるいは、タグ情報読み取り手段と決済手段とを有する携帯端末装置に広告情報を配信するプログラムであって、携帯端末装置側において読み取られた対象物に添付されたタグのタグ情報を受信するステップと、ユーザを認証するステップと、前記認証されたユーザの携帯端末装置側から受信した前記タグ情報に基づき、広告情報を検索するステップと、前記検索によって得られた広告情報を携帯端末装置に配信するステップと、前記配信に関する情報をアクセスログに記録するステップと、携帯端末装置から前記対象物の購入決済情報を受信するステップと、前記決済情報をアクセスログに記録するステップと、前記アクセスログに基づき、広告に関する料金を計算する料金計算ステップと、を有することを特徴とする広告情報提供プログラムを、その手段とする。
【００３２】
あるいは、電子透かし情報読み取り手段を有する携帯端末装置に広告情報を配信するプログラムであって、携帯端末装置側において読み取られた対象物に添付された電子透かしの電子透かし情報を受信するステップと、ユーザを認証するステップと、前記認証されたユーザの携帯端末装置側から受信した前記電子透かし情報に基づき、広告情報を検索するステップと、前記検索によって得られた広告情報を携帯端末装置に配信するステップと、前記配信に関する情報をアクセスログに記録するステップと、前記アクセスログに基づき、広告に関する料金を計算する料金計算ステップと、を有することを特徴とする広告情報提供プログラムを、その手段とする。
【００３３】
あるいは、電子透かし情報読み取り手段と決済手段とを有する携帯端末装置に広告情報を配信するプログラムであって、携帯端末装置側において読み取られた対象物に添付された電子透かしの電子透かし情報を受信するステップと、ユーザを認証するステップと、前記認証されたユーザの携帯端末装置側から受信した前記電子透かし情報に基づき、広告情報を検索するステップと、前記検索によって得られた広告情報を携帯端末装置に配信するステップと、前記配信に関する情報をアクセスログに記録するステップと、携帯端末装置から前記対象物の購入決済情報を受信するステップと、前記決済情報をアクセスログに記録するステップと、前記アクセスログに基づき、広告に関する料金を計算する料金計算ステップと、を有することを特徴とする広告情報提供プログラムを、その手段とする。
【００３４】
あるいは、上記の広告情報提供プログラムにおいて、前記料金計算ステップは、前記アクセスログに基づき、広告主に対する広告費を計算するステップと、前記アクセスログに基づき、ユーザに対する割引費を計算するステップと、を有することを特徴とする広告情報提供プログラムを、その手段とする。
【００３５】
あるいは、上記の広告情報提供プログラムをコンピュータで読取り可能な記録媒体に記録したことを特徴とする広告情報提供プログラムを記録した記録媒体を、その手段とする。
【００３６】
本発明では、消費者が映像情報閲覧機能と商品画像撮影機能を有する携帯端末を持っている場合に、消費者が商品を検討している際の商品画像をキーとして、対象商品が何であるかを識別し、あらかじめ登録された映像情報や詳細情報をネットワーク経由で消費者に提供することにより、商品の製造工程を改造することなく、実際の店舗で商品を選んでいる消費者にタイムリーに広告映像や詳細情報を提供できるようにする。
【００３７】
また、本発明では、消費者が映像情報閲覧機能と商品情報読み取り機能を有する携帯端末を持っている場合に、消費者が商品を検討している際の商品画像をキーとして、対象商品が何であるかを識別し、あらかじめ登録された映像情報や詳細情報をネットワーク経由で消費者に提供することにより、商品に興味を持った消費者にタイムリーに広告映像や詳細情報を提供できるようにする。
【００３８】
また、本発明では、サービスの形態として、消費者のアクセスログを記録して消費者が見た映像情報の通信費を広告主から回収する形態と、消費者の決済情報をセンタに送信して購入した消費者のみの広告費を広告主に請求する形態、の２種類を用意することにより、消費者のアクセスログを記録し、消費者が見た映像情報の通信費を広告主から回収する形態では、消費者は通信費を気にせずに広告を見ることができるようにし、消費者の決済情報をセンタに送信して購入した消費者のみの広告費を広告主に請求する形態では、広告主は無駄なく広告することができるようにする。
【００３９】
【発明の実施の形態】
以下、本発明の実施の形態について図を用いて詳細に説明する。
【００４０】
［実施の形態例１］
図１は、本発明の第１の実施の形態例をＤＶＤソフトの販売に適用した例を示す図である。本システムにより、特定のＤＶＤソフトに興味を持ち、かつ実際の商品を手にとっている消費者に、消費者が見たいときに映像広告を提供することが可能となる。ただし、消費者が映像情報閲覧機能と画像撮影機能を有する携帯端末を持っていることが前提となる。本発明は、センタ１と携帯端末２と商品（以下、ＤＶＤ）３とから構成される。
【００４１】
広告主は、ＤＶＤ広告をセンタ１にあらかじめ登録しておく。消費者は、ＤＶＤ３を目の前にして興味を持ち、携帯端末２を用いて画像を撮影して、当該画像とともに、ＧＰＳによる位置情報、ユーザによる入力情報（例えば、所望する情報の選択、対象の限定情報）などを同時にセンタ１に送信する。センタ１では画像を認識して、配信すべきＤＶＤ広告を検索し、消費者の携帯端末２にＤＶＤ広告を送信する。ここで、位置情報やユーザによる入力情報は、画像検索対象を絞り込むために用いられるが、これは一般的な手法であるため、以下では特に言及しない。広告主は、センタ運営者に広告費を払う。消費者は、通信にかかったコストをセンタ運営者からキャッシュバックされる。
【００４２】
ただし、ここで言及するＤＶＤ広告は、動画によるＤＶＤ３のシーンや文章によるキャンペーン案内などあらゆる視覚・聴覚に訴える広告を含む。
【００４３】
図２は、本発明の第１の実施の形態例の具体的な一構成例を示した図である。
携帯端末２は、ユーザの操作によって画像を撮影する画像撮影手段２１、映像を表示する映像表示手段２２、撮影された対象画像や各種データをセンタ１と送受信する送受信手段２３により構成される。センタ（アクセス管理装置）１は、ユーザを認証するユーザ認証手段１２、画像を認識する画像認識手段１３、画像識別結果に対応する広告を蓄積する広告データベース（ＤＢ）１４、認識結果を利用して配信すべき広告情報を広告ＤＢ１４から検索する情報検索手段１５、認識結果および配信したことを記録したアクセスログを管理するアクセスログ管理手段１６、アクセスログから広告に関する料金、例えば、広告費や通信費などの経費に係る料金を計算する料金計算手段１７、から構成される。
【００４４】
図３は、本発明の第１の実施の形態例の別の構成例を示した図であり、料金計算手段を除いて、図２と同様に構成される。本例において、料金計算手段は、広告費計算手段１７１と、割引費計算手段１７２とにより構成される。
【００４５】
図４は、本発明の第１の実施の形態例による上記システムの動作例のフローチャートを示した図である。以下の例では、携帯端末２はカメラ付携帯電話、ＤＶＤソフト名は、「あいうえお」とする。
【００４６】
携帯端末２側において、
（ア）ユーザの操作によって、画像撮影手段２１が、「あいうえお」のＤＶＤパッケージの画像を撮影する。
（イ）撮影された「あいうえお」のＤＶＤパッケージ画像を送受信手段２３によって、センタ１に送信する。
【００４７】
センタ１側において、
（ウ）ユーザ認証手段１２によって、ユーザを認証する。認証されない場合は、ここで終了となる。認証されれば、（エ）以降に続く。
（エ）画像認識手段１３によって、画像を認識する。画像認識手段１３は、例えば、あらゆる視点からの商品画像を圧縮して広告ＤＢ１４に蓄積しておき、各商品の圧縮画像と入力画像とを比較する手段を用いる。一例として、「２次元照合による３次元物体認識−パラメトリック固有空間法−」（村瀬洋、Ｓ．Ｋ．Ｎａｙｅｒ著、信学論、Ｊ７７−Ｄ−２、Ｎｏ．１１、２１７９−２１８７、１９９４年、１１月）にかかれている手法がある。
（オ）情報検索手段１５は、認識結果である「あいうえお」をキーとして、配信する広告情報を広告ＤＢ１４から検索する。
（カ）送受信手段１１によって、ユーザの携帯端末２に検索された広告情報を配信する。
（キ）アクセスログ管理手段１６によって、配信に関するアクセスログ（配信ログなど）を記録する。ログには、ユーザ名、アクセス日時、認証結果、認識結果、配信結果などが記録される。
【００４８】
携帯端末２側において、
（ク）送受信手段２３によって受信した情報を、映像表示手段２２によって表示する。
【００４９】
センタ１側において、
（ケ）広告費計算手段１７１によって、広告主に対する料金（広告費）を計算する。例えば、配信ログから「あいうえお」の映像広告を見た人数Ｐを求め、（Ｐ＊基本料＊映像の情報量）円を月毎の広告費とする。
（コ）割引費計算手段１７２によって、ユーザに対する割引費を計算する。例えば、通信にかかった費用を割引費とする。
【００５０】
［実施の形態例２］
図５は、本発明の第２の実施の形態例をＤＶＤソフトの販売に適用した例である。本システムにより、特定のＤＶＤソフトに興味を持った消費者に映像広告を提供することが可能となる。ただし、消費者が映像情報閲覧機能と画像撮影機能および決済機能を有する携帯端末を持っていることが前提となる。本発明は、センタ１と携帯端末２と商品（以下、ＤＶＤ）３とから構成される。
【００５１】
広告主は、ＤＶＤ広告をセンタ１にあらかじめ登録しておく。消費者は、ＤＶＤ３を目の前にして興味を持ち、携帯端末２を用いて画像を撮影してセンタ１に送信する。センタ１では画像を認識して、配信すべきＤＶＤ広告を検索し、消費者の携帯端末２にＤＶＤ広告を送信する。消費者は、ＤＶＤ３を購入する際、購入情報をセンタ１に送信する。広告主は、消費者がＤＶＤ３を購入した場合、センタ運営者に広告費を払う。消費者は、ＤＶＤ３を購入した場合、通信にかかったコストと該商品のディスカウント費をセンタ運営者からキャッシュバックされる。
【００５２】
ただし、ここで言及するＤＶＤ広告は、動画によるＤＶＤ３のシーンや文章によるキャンペーン案内などあらゆる視覚・聴覚に訴える広告を含む。
【００５３】
図６は、本発明の第２の実施の形態例の具体的な構成例を示した図である。携帯端末２は、ユーザの操作によって画像を撮影する画像撮影手段２１、映像を表示する映像表示手段２２、撮影された対象画像や各種データをセンタ１と送受信する送受信手段２３、決済を行うことができる決済情報送信手段２４により構成される。センタ（アクセス管理装置）１は、ユーザを認証するユーザ認証手段１２、画像を認識する画像認識手段１３、画像認識結果に対応する広告を蓄積する広告ＤＢ１４、認識結果を利用して配信すべき広告情報を広告ＤＢ１４から検索する情報検索手段１５、認証結果および配信したことを記録したアクセスログを管理するアクセスログ管理手段１６、アクセスログから広告主に課金する広告費をを計算する広告費計算手段１７１、ユーザが商品を購入した際に支払う割引費を計算する割引費計算手段１７２、から構成される。
【００５４】
図７は、本発明の第２の実施の形態例によるシステムの動作例のフローチャートを示した図である。以下の例では、携帯端末２はカメラ機能と決済機能を有する携帯電話、ＤＶＤソフト名は、「あいうえお」とする。
【００５５】
携帯端末２側において、
（ア）ユーザの操作によって、画像撮影手段２１が、「あいうえお」のＤＶＤパッケージの画像を撮影する。
（イ）撮影された「あいうえお」のＤＶＤパッケージ画像を、送受信手段２３によってセンタ１に送信する。
【００５６】
センタ１側において、
（ウ）ユーザ認証手段１２によって、ユーザを認証する。認証されない場合は、ここで終了となる。認証されれば、（エ）以降に続く。
（エ）画像認識手段１３によって、画像を認識する。画像認識手段１３は、例えば、あらゆる視点からの商品画像を圧縮してデータベースに蓄積しておき、各商品の圧縮画像と入力画像とを比較する手段を用いる。一例として、「２次元照合による３次元物体認識−パラメトリック固有空間法−」（村瀬洋、Ｓ．Ｋ．Ｎａｙｅｒ著、信学論、Ｊ７７−Ｄ−２、Ｎｏ．１１、２１７９−２１８７、１９９４年、１１月）にかかれている手法がある。
（オ）情報検索手段１５は、認識結果である「あいうえお」をキーとして配信する広告情報を広告ＤＢ１４から検索する。
（カ）送受信手段１１によって、ユーザの形態端末２に検索された広告情報を配信する。
（キ）アクセスログ管理手段１６によって、配信に関するアクセスログ（配信ログなど）を記録する。ログには、ユーザ名、アクセス日時、認証結果、認識結果、配信結果などが記録される。
【００５７】
携帯端末２側において、
（ク）送受信手段２３によって受信した情報を、映像表示手段２２によって表示する。
（ケ）購入の際に、決済情報送信手段２４によって、決済情報をセンタ１に送信する。決済情報は、例えば、ユーザＩＤ、値段、購入商品名により構成される。
【００５８】
センタ１側において、
（コ）広告費計算手段１７１によって、広告主に対する料金（広告費）を計算する。例えば、配信ログから「あいうえお」の映像広告を見た人数Ｐを求め、（Ｐ＊基本料＊映像の情報量）円を月毎の広告費とする。
（サ）割引費計算手段１７２によって、ユーザに対する割引費を計算する。例えば、（通信にかかった費用＋該商品の定められたディスカウント費）を割引費とする。この割引費には、通信費のキャッシュバックとＣＭを閲覧した消費者への特別割引という両方の意味が含まれる。
【００５９】
［実施の形態例３］
以下、本発明の実施の形態例３について図を用いて詳細に説明する。
【００６０】
図８は、本発明をＤＶＤソフトの販売に適用した例であり、本システムにより、特定のＤＶＤソフトに興味を持ち、かつ実際の商品を手にとっている消費者に、消費者が見たいときに映像広告を提供することが可能となる。ただし、消費者が映像情報閲覧機能とタグ情報読み取り機能を有する携帯端末を持っていることが前提となる。本発明は、携帯端末２とセンタ１から構成される。
【００６１】
広告主は、ＤＶＤ広告をセンタ１にあらかじめ登録しておく。消費者は、ＤＶＤ３を目の前にして興味を持ち、携帯端末２を用いてタグ情報を読み取り、タグ情報、ＧＰＳによる位置情報、ユーザによる入力情報（例えば所望する情報の選択、対象の限定情報など）を同時にセンタ１に送信する。センタ１ではタグ情報をキーとして、配信すべきＤＶＤ広告を検索し、消費者の携帯端末２にＤＶＤ広告を送信する。ここで、位置情報や入力情報は、検索対象を絞り込むために用いられるが、一般的な手法であるため、以下では言及しない。広告主は、センタ運営者に広告費を払う。消費者は、通信にかかったコストがセンタ運営者から割り引かれる。
【００６２】
ただし、ここで言及するＤＶＤ広告は、動画によるＤＶＤのシーンや文章によるキャンペーン案内などあらゆる視覚・聴覚に訴える広告を含む。また、ここで言及するタグは、無線タグや一般のバーコード、２次元バーコードを含む。
【００６３】
図９は、本発明の第３の実施の形態例の具体的な一構成例を示した図であり、携帯端末２は、ユーザの操作によってタグ情報を読み取るタグ情報読み取り手段２５、映像を表示する映像表示手段２２、読み取られたタグ情報や各種データをセンタ１と送受信する送受信手段２３により構成される。センタ１は、ユーザを認証するユーザ認証手段１２、タグ情報を利用して配信すべき情報を検索する情報検索手段１５、認証結果および配信したことを記録したアクセスログを管理するアクセスログ管理手段１６、アクセスログから広告費や通信費などの経費を計算する料金計算手段１７、タグ情報に対応する広告を蓄積／検索する広告ＤＢ１４、から構成される。
【００６４】
図１０は、本発明の第３の実施の形態例の別の構成例を示した図であり、料金計算手段１７は、広告費計算手段１７１と割引費計算手段１７２により構成される。
【００６５】
図１１は、本発明の第３の実施の形態例による上記システムの動作例のフローチャートを示した図である。以下の例では、携帯端末２は無線タグ読み取り装置つき携帯電話、ＤＶＤソフト名は、「あいうえお」とする。
【００６６】
携帯端末２側において、
（ア）ユーザの操作によって「あいうえお」のＤＶＤパッケージの無線タグ情報「あいうえお」を読み取る。
（イ）読み込まれたＤＶＤパッケージのタグ情報「あいうえお」をセンタ１に送信する。
【００６７】
センタ１側において、
（ウ）ユーザを認証する。
（オ）タグ情報の「あいうえお」をキーとして配信する広告情報を検索する。
（カ）ユーザの携帯端末２に広告情報を配信する。
（キ）配信ログを記録する。ログには、ユーザ名、アクセス日時、認証結果、無線タグ情報、配信結果などが記録される。
【００６８】
携帯端末２側において、
（ク）受信した情報を表示する。
【００６９】
センタ１側において、
（ケ）広告主に対する料金を計算する。例えば、配信ログから「あいうえお」の映像広告を見た人数Ｐを求め、（Ｐ＊基本料＊映像の情報量）円を月毎の広告費とする。
（コ）ユーザに対する割引費を計算する。例えば、通信にかかった費用を割り引く。
【００７０】
［実施の形態例４］
以下、本発明の実施の形態例４について図を用いて詳細に説明する。
【００７１】
図１２は、本発明をＤＶＤソフトの販売に適用した例であり、本システムにより、特定のＤＶＤソフトに興味を持った消費者に映像広告を提供することが可能となる。ただし、消費者が映像情報閲覧機能とタグ情報読み取り機能および決済機能を有する携帯端末２を持っていることが前提となる。本発明は、携帯端末２とセンタ１から構成される。
【００７２】
広告主は、ＤＶＤ広告をセンタ１にあらかじめ登録しておく。消費者は、ＤＶＤ３を目の前にして興味を持ち、携帯端末２を用いてタグ情報を読み取りセンタ１に送信する。センタ１ではタグ情報を利用して、配信すべきＤＶＤ広告を検索し、消費者の携帯端末２にＤＶＤ広告を送信する。消費者は、ＤＶＤ３を購入する際、購入情報をセンタ１に送信する。広告主は、消費者がＤＶＤ３を購入した場合、センタ運営者に広告費を払う。消費者は、ＤＶＤ３を購入した場合、通信にかかったコストをセンタ運営者からキャッシュバックされる。
【００７３】
ただし、ここで言及するＤＶＤ広告は、動画によるＤＶＤのシーンや文章によるキャンペーン案内などあらゆる視覚・聴覚に訴える広告を含む。
【００７４】
図１３は、本発明の第４の実施の形態例の一構成例を示した図であり、携帯端末２は、ユーザの操作によってタグ情報を読み取るタグ情報読み取り手段２５、映像を表示する映像表示手段２２、読み取られたタグ情報や各種データをセンタ１と送受信する送受信手段２３、決済を行うことができる決済情報送信手段２４により構成される。センタ１は、ユーザを認証するユーザ認証手段１２、タグ情報を利用して配信すべき情報を検索する情報検索手段１５、認証結果および配信したことを記録したアクセスログを管理するアクセスログ管理手段１６、アクセスログから広告主に課金する広告費を計算する広告費計算手段１７１、ユーザが商品を購入した際に支払う割引費を計算する割引費計算手段１７２、タグ情報に対応する広告を蓄積／検索する広告ＤＢ１４、から構成される。
【００７５】
図１４は、本発明の第４の実施の形態例による上記システムの動作例のフローチャートを示した図である。以下の例では、携帯端末２はタグ情報読み取り機能と決済機能を有する携帯電話、ＤＶＤソフト名は、「あいうえお」とする。
【００７６】
携帯端末２側において、
（ア）ユーザの操作によって「あいうえお」のＤＶＤパッケージのタグ情報を読み込む。
（イ）読み込まれたＤＶＤパッケージのタグ情報「あいうえお」をセンタ１に送信する。
【００７７】
センタ１側において、
（ウ）ユーザを認証する。
（オ）タグ情報「あいうえお」をキーとして配信する広告情報を検索する。
（カ）ユーザの携帯端末２に広告情報を配信する。
（キ）配信ログを記録する。ログには、ユーザ名、アクセス日時、認証結果、タグ情報、配信結果などが記録される。
【００７８】
携帯端末２側において、
（ク）受信した情報を表示する。
（ケ）購入の際に、決済情報をセンタ１に送信する。決済情報は、例えば、ユーザＩＤ、値段、購入商品名により構成される。
【００７９】
センタ１側において、
（コ）広告主に対する料金を計算する。例えば、配信ログから「あいうえお」の映像広告を見た人数Ｐを求め、（Ｐ＊基本料＊映像の情報量）円を月毎の広告費とする。
（サ）ユーザに対する割引費を計算する。例えば、（通信にかかった費用＊２）を割り引く。
【００８０】
［実施の形態例５］
以下、本発明の実施の形態例５について図を用いて詳細に説明する。
【００８１】
図１５は、本発明をＤＶＤソフトの販売に適用した例であり、本システムにより、特定のＤＶＤソフトに興味を持ち、かつ実際の商品を手にとっている消費者に、消費者が見たいときに映像広告を提供することが可能となる。ただし、消費者が映像情報閲覧機能と電子透かし情報読み取り機能を有する携帯端末２を持っていることが前提となる。本発明は、携帯端末２とセンタ１から構成される。
【００８２】
広告主は、ＤＶＤ広告をセンタ１にあらかじめ登録しておく。消費者は、ＤＶＤ３を目の前にして興味を持ち、携帯端末２を用いて電子透かし情報を読み取り、電子透かし情報、ＧＰＳによる位置情報、ユーザによる入力情報（例えば所望する情報の選択、対象の限定情報など）を同時にセンタ１に送信する。センタ１では電子透かし情報をキーとして、配信すべきＤＶＤ広告を検索し、消費者の携帯端末２にＤＶＤ広告を送信する。ここで、位置情報や入力情報は、検索対象を絞り込むために用いられるが、一般的な手法であるため、以下では言及しない。広告主は、センタ運営者に広告費を払う。消費者は、通信にかかったコストがセンタ運営者から割り引かれる。
【００８３】
ただし、ここで言及するＤＶＤ広告は、動画によるＤＶＤのシーンや文章によるキャンペーン案内などあらゆる視覚・聴覚に訴える広告を含む。
【００８４】
図１６は、本発明の第５の実施の形態例の一構成例を示した図であり、携帯端末２は、ユーザの操作によって電子透かし情報を読み取る電子透かし情報読み取り手段２６、映像を表示する映像表示手段２２、読み取られた電子透かし情報や各種データをセンタ１と送受信する送受信手段２３により構成される。センタ１は、ユーザを認証するユーザ認証手段１２、電子透かし情報を利用して配信すべき情報を検索する情報検索手段１５、認証結果および配信したことを記録したアクセスログを管理するアクセスログ管理手段１６、アクセスログから広告費や通信費などの料金を計算する料金計算手段１７、電子透かし情報に対応する広告を蓄積／検索する広告ＤＢ１４、から構成される。
【００８５】
図１７は、本発明の第５の実施の形態例の別の構成例を示した図であり、料金計算手段は、広告費計算手段１７１と割引費計算手段１７２により構成される。
【００８６】
図１８は、本発明の第５の実施の形態例による上記システムのフローチャートを示した図である。以下の例では、携帯端末２は電子透かし読み取り装置つき携帯電話、ＤＶＤソフト名は、「あいうえお」とする。
【００８７】
携帯端末２側において、
（ア）ユーザの操作によって「あいうえお」のＤＶＤパッケージの電子透かし情報「あいうえお」を読み取る。
（イ）読み込まれたＤＶＤパッケージの電子透かし情報「あいうえお」をセンタ１に送信する。
【００８８】
センタ１側において、
（ウ）ユーザを認証する。
（オ）電子透かし情報の「あいうえお」をキーとして配信する広告情報を検索する。
（カ）ユーザの携帯端末２に広告情報を配信する。
（キ）配信ログを記録する。ログには、ユーザ名、アクセス日時、認証結果、電子透かし情報、配信結果などが記録される。
【００８９】
携帯端末２側において、
（ク）受信した情報を表示する。
【００９０】
センタ１側において、
（ケ）広告主に対する料金を計算する。例えば、配信ログから「あいうえお」の映像広告を見た人数Ｐを求め、（Ｐ＊基本料＊映像の情報量）円を月毎の広告費とする。
（コ）ユーザに対する割引費を計算する。例えば、通信にかかった費用を割り引く。
【００９１】
［実施の形態例６］
以下、本発明の実施の形態例６について図を用いて詳細に説明する。。
【００９２】
図１９は、本発明をＤＶＤソフトの販売に適用した例であり、本システムにより、特定のＤＶＤソフトに興味を持った消費者に映像広告を提供することが可能となる。ただし、消費者が映像情報閲覧機能と電子透かし情報読み取り機能および決済機能を有する携帯端末２を持っていることが前提となる。本発明は、携帯端末２とセンタ１から構成される。
【００９３】
広告主は、ＤＶＤ広告をセンタ１にあらかじめ登録しておく。消費者は、ＤＶＤ３を目の前にして興味を持ち、携帯端末２を用いて電子透かし情報を読み取りセンタ１に送信する。センタ１では電子透かし情報を利用して、配信すべきＤＶＤ広告を検索し、消費者の携帯端末２にＤＶＤ広告を送信する。消費者は、ＤＶＤ３を購入する際、購入情報をセンタ１に送信する。広告主は、消費者がＤＶＤ３を購入した場合、センタ運営者に広告費を払う。消費者は、ＤＶＤ３を購入した場合、通信にかかったコストをセンタ運営者からキャッシュバックされる。
【００９４】
ただし、ここで言及するＤＶＤ広告は、動画によるＤＶＤのシーンや文章によるキャンペーン案内などあらゆる視覚・聴覚に訴える広告を含む。
【００９５】
図２０は、本発明の第６の実施の形態例の一構成例を示した図であり、携帯端末２は、ユーザの操作によって電子透かし情報を読み取る電子透かし情報読み取り手段２６、映像を表示する映像表示手段２２、読み取られた電子透かし情報や各種データをセンタ１と送受信する送受信手段２３、決済を行うことができる決済情報送信手段２４により構成される。センタ１は、ユーザを認証するユーザ認証手段１２、電子透かし情報を利用して配信すべき情報を検索する情報検索手段１５、認証結果および配信したことを記録したアクセスログを管理するアクセスログ管理手段１３、アクセスログから広告主に課金する広告費を計算する広告費計算手段１７１、ユーザが商品を購入した際に支払う割引費を計算する割引費計算手段１７２、電子透かし情報に対応する広告を蓄積／検索する広告ＤＢ１４、から構成される。
【００９６】
図２１は、本発明の第６の実施の形態例による上記システムの動作例を示すフローチャートを示した図である。以下の例では、携帯端末２は電子透かし情報読み取り機能と決済機能を有する携帯電話、ＤＶＤソフト名は、「あいうえお」とする。
【００９７】
携帯端末２側において、
（ア）ユーザの操作によって「あいうえお」のＤＶＤパッケージの電子透かし情報を読み込む。
（イ）読み込まれたＤＶＤパッケージの電子透かし情報「あいうえお」をセンタ１に送信する。
【００９８】
センタ側において、
（ウ）ユーザを認証する。
（オ）電子透かし情報「あいうえお」をキーとして配信する広告情報を検索する。
（カ）ユーザの携帯端末２に広告情報を配信する。
（キ）配信ログを記録する。ログには、ユーザ名、アクセス日時、認証結果、電子透かし情報、配信結果などが記録される。
【００９９】
携帯端末２側において、
（ク）受信した情報を表示する。
（ケ）購入の際に、決済情報をセンタ１に送信する。決済情報は、例えば、ユーザＩＤ、値段、購入商品名により構成される。
【０１００】
センタ１側において、
（コ）広告主に対する料金を計算する。例えば、配信ログから「あいうえお」の映像広告を見た人数Ｐを求め、（Ｐ＊基本料＊映像の情報量）円を月毎の広告費とする。
（サ）ユーザに対する割引費を計算する。例えば、（通信にかかった費用＊２）を割り引く。
【０１０１】
なお、上記実施の形態例１ないし６に記載した画像認識手法は、あくまでも例であり、本発明を限定するものではない。
【０１０２】
また、図２，３，６，９，１０，１３，１６，１７，２０で示した装置における各部の一部もしくは全部の処理機能をコンピュータのプログラムで構成し、そのプログラムをコンピュータを用いて実行して本発明を実現することができること、あるいは、図４，７，１１，１４，１８，２１で示した処理ステップをコンピュータのプログラムで構成し、そのプログラムをコンピュータに実行させることができることは言うまでもなく、コンピュータでその処理機能を実現するためのプログラム、あるいは、コンピュータにその処理ステップを実行させるためのプログラムを、そのコンピュータが読み取り可能な記録媒体、例えば、ＦＤ（フレキシブルディスク）や、ＭＯ、ＲＯＭ、メモリカード、ＣＤ、ＤＶＤ、リムーバブルディスクなどに記録して、保存したり、配布したりすることが可能である。また、上記のプログラムをインターネットや電子メールなど、ネットワークを通して提供することも可能である。このように、記録媒体やネットワークで提供されたプログラムをコンピュータにインストールすることにより、本発明が実施可能となる。
【０１０３】
【発明の効果】
本発明では、消費者が映像情報閲覧機能と商品画像撮影機能を有する携帯端末を持っている場合に、消費者が商品を検討している際の商品画像をキーとして、対象商品が何であるかを識別し、あらかじめ登録された映像情報や詳細情報をネットワーク経由で消費者に提供するため、商品の製造工程を改造することなく、商品に興味を持った消費者にタイムリーに広告映像や詳細情報を提供できるようになる。また、消費者のアクセスログを記録し、消費者が見た映像情報の通信費を広告主から回収する形態では、消費者は通信費を気にせずに広告を見ることができる。また、消費者の決済情報をセンタに送信して購入した消費者のみの広告費を広告主に請求する形態では、広告主は無駄なく広告することができる。
【０１０４】
また、本発明では、消費者が映像情報閲覧機能と商品情報読み取り機能を有する携帯端末を持っている場合に、消費者が商品を検討している際の商品情報をキーとして、対象商品が何であるかを識別し、あらかじめ登録された映像情報や詳細情報をネットワーク経由で消費者に提供するため、商品に興味を持った消費者にタイムリーに広告映像や詳細情報を提供できるようになる。また、消費者のアクセスログを記録し、消費者が見た映像情報の通信費を広告主から回収する形態では、消費者は通信費を気にせずに広告を見ることができる。また、消費者の決済情報をセンタに送信して購入した消費者のみの広告費を広告主に請求する形態では、広告主は無駄なく広告することができる。
【図面の簡単な説明】
【図１】本発明の第１の実施の形態例をＤＶＤソフトの販売に適用した例を示す図
【図２】本発明の第１の実施の形態例の具体的な一構成例を示した図
【図３】本発明の第１の実施の形態例の具体的な別の構成例を示した図
【図４】本発明の第１の実施の形態例によるシステムの動作例のフローチャートを示した図
【図５】本発明の第２の実施の形態例をＤＶＤソフトの販売に適用した例を示す図
【図６】本発明の第２の実施の形態例の具体的な一構成例を示した図
【図７】本発明の第２の実施の形態例によるシステムの動作例のフローチャートを示した図
【図８】本発明の第３の実施の形態例をＤＶＤソフトの販売に適用した例を示す図
【図９】本発明の第３の実施の形態例の具体的な一構成例を示した図
【図１０】本発明の第３の実施の形態例の具体的な別の構成例を示した図
【図１１】本発明の第３の実施の形態例によるシステムの動作例のフローチャートを示した図
【図１２】本発明の第４の実施の形態例をＤＶＤソフトの販売に適用した例を示す図
【図１３】本発明の第４の実施の形態例の具体的な一構成例を示した図
【図１４】本発明の第４の実施の形態例によるシステムの動作例のフローチャートを示した図
【図１５】本発明の第５の実施の形態例をＤＶＤソフトの販売に適用した例を示す図
【図１６】本発明の第５の実施の形態例の具体的な一構成例を示した図
【図１７】本発明の第５の実施の形態例の具体的な別の構成例を示した図
【図１８】本発明の第５の実施の形態例によるシステムの動作例のフローチャートを示した図
【図１９】本発明の第６の実施の形態例をＤＶＤソフトの販売に適用した例を示す図
【図２０】本発明の第６の実施の形態例の具体的な一構成例を示した図
【図２１】本発明の第６の実施の形態例によるシステムの動作例のフローチャートを示した図
【符号の説明】
１…センタ（アクセス管理装置）
１１…送受信手段
１２…ユーザ認証手段
１３…画像認識手段
１４…広告ＤＢ
１５…情報検索手段
１６…アクセスログ管理手段
１７…料金計算手段
１７１…広告費計算手段
１７２…割引費計算手段
２…携帯端末
２１…画像撮影手段
２２…映像表示手段
２３…送受信手段
２４…決済情報送受信手段
２５…タグ情報読み取り手段
２６…電子透かし情報読み取り手段
３…商品（ＤＶＤなど）
【図１】
2004185591.tif 000003
【図２】
2004185591.tif 000004
【図３】
2004185591.tif 000005
【図４】
2004185591.tif 000006
【図５】
2004185591.tif 000007
【図６】
2004185591.tif 000008
【図７】
2004185591.tif 000009
【図８】
2004185591.tif 000010
【図９】
2004185591.tif 000011
【図１０】
2004185591.tif 000012
【図１１】
2004185591.tif 000013
【図１２】
2004185591.tif 000014
【図１３】
2004185591.tif 000015
【図１４】
2004185591.tif 000016
【図１５】
2004185591.tif 000017
【図１６】
2004185591.tif 000018
【図１７】
2004185591.tif 000019
【図１８】
2004185591.tif 000020
【図１９】
2004185591.tif 000021
【図２０】
2004185591.tif 000022
【図２１】
2004185591.tif 000023